(57)【要約】【課題】安価な構成によって、液バックを防止することができる自動販売機を提供する。【解決手段】冷媒回路２０００は、圧縮機１と、ガスクーラ３と、左庫熱交換器７Ｌと、中庫熱交換器７Ｃと、右庫熱交換器７Ｒと、が順次直列に連結され、冷凍サイクルを形成する。また、ガスクーラ３または大気と熱交換することが可能な戻り熱交換器９と、右庫熱交換器７Ｒと圧縮機１との間に設置された戻り三方弁８と、三方弁８に流入する冷媒の温度を測定するエバ温度センサ１１と、エバ温度センサ１１の測定した冷媒温度が低い場合、戻り三方弁８を操作して、冷媒を戻り熱交換器９を経由して圧縮機１に戻し、一方、冷媒温度が高い場合、戻り三方弁８を操作して、冷媒を圧縮機１に直接戻す制御手段２０と、を有す。【選択図】図３
2010128945.tif 000002
【特許請求の範囲】
【請求項１】
断熱材によって囲まれ一面に開口部を具備する筐体と、前記開口部を開閉する断熱扉と、前記筐体内に配置された仕切板によって仕切られた、左庫、中庫および右庫と、該左庫、中庫および右庫を選択的に加熱または冷却するための冷媒回路と、を有し、
前記冷媒回路が、
冷媒を圧縮する圧縮機と、
通過する冷媒が保有する温熱を放出する外部熱交換器と、
通過する冷媒を膨張させる左庫絞り機構と、
左庫内の空気との間で熱交換をするための左庫熱交換器と、
通過する冷媒を膨張させる中庫絞り機構と、
中庫内の空気との間で熱交換をするための中庫熱交換器と、
通過する冷媒を膨張させる右庫絞り機構と、
右庫内の空気との間で熱交換をするための右庫熱交換器と、
これらを順次連通して冷媒を循環させる配管と、
前記左庫絞り機構をバイパスする左庫絞り電磁弁が設置された左庫絞りバイパス配管と、
前記左庫絞り機構および前記左庫熱交換器をバイパスする左庫電磁弁が設置された左庫バイパス配管と、
前記中庫絞り機構をバイパスする中庫絞り電磁弁が設置された中庫絞りバイパス配管と、
前記中庫絞り機構および前記中庫熱交換器をバイパスする中庫電磁弁が設置された中庫バイパス配管と、
前記右庫絞り機構をバイパスする右庫絞り電磁弁が設置された右庫絞りバイパス配管と、
前記外部熱交換器または大気から温熱を受け取ることができる戻り熱交換器と、
前記右庫熱交換器と前記圧縮機との間に設置され、前記戻り熱交換器または前記圧縮機の一方に冷媒を供給するための戻り三方弁と、
該戻り三方弁と前記戻り熱交換器とを連通する戻り流入配管と、
前記戻り熱交換器と前記圧縮器とを連通する戻り流出配管と、
を具備し、
前記戻り三方弁に流入する冷媒の温度を測定する温度センサと、
前記温度センサが測定して冷媒温度が、所定の温度以下のとき、前記戻り三方弁を操作して冷媒を前記戻り熱交換器に供給し、一方、所定の温度超えのとき、前記戻り三方弁を操作して冷媒を前記圧縮機に直接戻す制御手段と、が設けられていることを特徴とする自動販売機。
【請求項２】
前記圧縮機と前記外部熱交換器との間に設置され、前記外部熱交換器をバイパス可能にする三方弁と、
該三方弁の一方の流出口と前記圧縮機の下流側とを連通する外部熱交換器バイパス配管と、を有し、
前記制御手段が、前記左庫を加熱する際または前記左庫および前記中庫を加熱する際、前記三方弁を操作して冷媒を前記外部熱交換器を通過させないことを特徴とする請求項１記載の自動販売機。
【発明の詳細な説明】
【技術分野】
【０００１】
本発明は自動販売機、特に、缶、ビン、パック、ペットボトル等の容器に入れた飲料等の商品を冷却または加熱して販売に供する自動販売機に関する。
【背景技術】
【０００２】
従来、自動販売機は、冷媒を圧縮する圧縮機と、圧縮された冷媒（以下、「高圧高温冷媒」と称す）を凝縮させる庫外凝縮器（ガスクーラに同じ）と、凝縮された冷媒（以下、「高圧中温冷媒」と称す）を膨張させる膨張手段と、膨張した冷媒（以下、「低圧低温冷媒」と称す）を蒸発させる庫内蒸発器と、これらを順次連結して蒸発した冷媒（以下、「低圧中温冷媒」と称す）を圧縮機に戻す冷媒循環回路と、からなる冷凍サイクルを有し、商品を収納する各商品収納庫内に庫内蒸発器を設置して、商品を冷却していた。
また、庫内蒸発器に高圧高温冷媒（ホットガスに同じ）を流して、庫内蒸発器において温熱を放出させて（凝縮器と機能させて）商品収納庫内を加熱する「ヒートポンプ運転」を実行する発明が開示されている（例えば、特許文献１参照）。
【０００３】
【特許文献１】特開２００７−２２６３３６号公報（第５−６頁、図１）
【発明の開示】
【発明が解決しようとする課題】
【０００４】
しかしながら、前記特許文献１に開示された発明は、圧縮機に戻る冷媒を気相にして、いわゆる「液バック」を防止するための内部熱交換器が設置されている。内部熱交換器は、圧縮機に流入直前の冷媒が、膨張手段に流入直前の高圧中温冷媒から温熱を受け取るものである。
このとき、高圧中温冷媒は、庫外凝縮器またはヒートポンプ運転の際には庫内蒸発器（凝縮器と機能する）を通過したものであるため、圧縮機に戻る冷媒に十分な温熱を受け渡すことができないという問題があった。
また、内部熱交換器は、高圧中温冷媒が通過する高圧用伝熱管と低圧中温冷媒が通過する低圧用伝熱管とを具備するため、高価になり、自動販売機の製造コストが上昇するという問題があった。
【０００５】
本発明は上記問題を解決するものであって、安価な構成によって、液バックを防止することができる自動販売機を提供することを目的とする。
【課題を解決するための手段】
【０００６】
（１）本発明に係る自動販売機（請求項１）は、断熱材によって囲まれ一面に開口部を具備する筐体と、前記開口部を開閉する断熱扉と、前記筐体内に配置された仕切板によって仕切られた、左庫、中庫および右庫と、該左庫、中庫および右庫を選択的に加熱または冷却するための冷媒回路と、を有し、
前記冷媒回路が、
冷媒を圧縮する圧縮機と、
通過する冷媒が保有する温熱を放出する外部熱交換器と、
通過する冷媒を膨張させる左庫絞り機構と、
左庫内の空気との間で熱交換をするための左庫熱交換器と、
通過する冷媒を膨張させる中庫絞り機構と、
中庫内の空気との間で熱交換をするための中庫熱交換器と、
通過する冷媒を膨張させる右庫絞り機構と、
右庫内の空気との間で熱交換をするための右庫熱交換器と、
これらを順次連通して冷媒を循環させる配管と、
前記左庫絞り機構をバイパスする左庫絞り電磁弁が設置された左庫絞りバイパス配管と、
前記左庫絞り機構および前記左庫熱交換器をバイパスする左庫電磁弁が設置された左庫バイパス配管と、
前記中庫絞り機構をバイパスする中庫絞り電磁弁が設置された中庫絞りバイパス配管と、
前記中庫絞り機構および前記中庫熱交換器をバイパスする中庫電磁弁が設置された中庫バイパス配管と、
前記右庫絞り機構をバイパスする右庫絞り電磁弁が設置された右庫絞りバイパス配管と、
前記外部熱交換器または大気から温熱を受け取ることができる戻り熱交換器と、
前記右庫熱交換器と前記圧縮機との間に設置され、前記戻り熱交換器または前記圧縮機の一方に冷媒を供給するための戻り三方弁と、
該戻り三方弁と前記戻り熱交換器とを連通する戻り流入配管と、
前記戻り熱交換器と前記圧縮器とを連通する戻り流出配管と、
を具備し、
前記戻り三方弁に流入する冷媒の温度を測定する温度センサと、
前記温度センサが測定して冷媒温度が、所定の温度以下のとき、前記戻り三方弁を操作して冷媒を前記戻り熱交換器に供給し、一方、所定の温度超えのとき、前記戻り三方弁を操作して冷媒を前記圧縮機に直接戻す制御手段と、が設けられていることを特徴とする。
【０００７】
（２）本発明に係る自動販売機（請求項２）は、前記（１）において、前記圧縮機と前記外部熱交換器との間に設置され、前記外部熱交換器をバイパス可能にする三方弁と、
該三方弁の一方の流出口と前記圧縮機の下流側とを連通する外部熱交換器バイパス配管と、を有し、
前記制御手段が、前記左庫を加熱する際または前記左庫および前記中庫を加熱する際、前記三方弁を操作して冷媒を前記外部熱交換器を通過させないことを特徴とする。
【発明の効果】
【０００８】
（ｉ）本発明の請求項１に係る自動販売機は、圧縮器に戻る冷媒の温度が低い場合、これを戻り熱交換器に供給して加熱した後、圧縮機に戻すから、液バックを防止することができると共に、圧縮器に戻る冷媒の温度が高い場合には、圧縮機に直接戻すから、比体積が小さいままで冷媒循環量が変わらないため、冷却特性が維持される。
さらに、外部熱交換器に戻り熱交換器から冷熱が受け渡される場合には、外部熱交換器を通過して絞り機構に流入する冷媒の温度が低くなるから、絞り機構の負担が低減され、冷凍サイクルの効率が向上する。
【０００９】
（ｉｉ）本発明の請求項２に係る自動販売機は、三方弁と、該三方弁に連通した外部熱交換器バイパス配管と、を有するから、庫内を加熱する際、外部熱交換器を経由しないで、圧縮機において圧縮された冷媒を庫内熱交換器（左室熱交換器等）に直接供給することができるため、庫内を加熱する効率が向上する。このとき、戻り熱交換器では大気が保有する温熱が冷媒に受け渡されるから、液バックが防止される。
【発明を実施するための最良の形態】
【００１０】
［実施の形態１］
図１〜図６は本発明の実施の形態１に係る自動販売機を説明するものであって、図１は正面視の断面図、図２は側面視の断面図、図３はこれに設置された冷媒回路を示す冷媒回路図、図４は冷媒流れを変更する制御フローチャートおよびその理由を説明するモリエル線図、図５は全室冷却時の冷媒流れを示す冷媒回路図、図６は一室加熱時の冷媒流れを示す冷媒回路図である。
図１および図２において、自動販売機１０００は、自動販売機１０００の本体のキャビネット２００と、キャビネット２００の内部で断熱材３００に包囲された商品収納庫４００と、商品Ｓを補充する時に商品収納庫４００を開閉する商品補充用扉４０４と、商品収納庫４００と外気を遮断するための内扉４０５と、自動販売機１０００の前扉４０６と、を有している。
【００１１】
（商品収納庫）
商品収納庫４００は仕切り板４０３ＬＣ、４０３ＣＲによって商品室（以下、「左庫」と称す）４００Ｌ、商品室（以下、「中庫」と称す）４００Ｃ、商品室（以下、「右庫」と称す）４００Ｒに仕切られている。
なお、以下の説明において、左庫４００Ｌ、中庫４００Ｃおよび右庫４００Ｒのそれぞれに配置される部材において、共通する内容を説明する場合には、それぞれをまとめてまたはそれぞれを個別に、部材名称を形容する「左庫、中庫、右庫」や、符号の添え字「Ｌ、Ｃ、Ｒ」を省略する場合がある。
【００１２】
各商品収納庫４００には、商品Ｓを収納するための商品収納ラック４０７と、商品収納ラック４０７から自然落下した商品Ｓを取出すための商品取出し口４０９と、商品Ｓを商品取出し口４０９まで誘導する商品誘導板４０８とが設置され、商品誘導板４０８の下方が庫内部品収納室４１０となっている。また、庫内空気を商品収納ラック４０７を経由して庫内部品収納室４１０に循環させるための循環ダクト４２０が設置されている。
【００１３】
そして、庫内部品収納室４１０には、庫内空気を商品誘導板４０８（通気孔が設けられている）を通過して商品Ｓに衝突させる室内ファン４３０と、室内ファン４３０の下流（循環ダクト４２０から遠い側）に庫内熱交換器４４０と、室内ファン４３０および庫内熱交換器４４０を収納する送風ダクト４５０と、送風ダクト４５０に連通して空気を通す風胴４６０と、が設置されている。そして、風胴４６０の上面に庫内温度を測定する庫内温度センサー５００が設置されている。
さらに、商品収納庫４００の下方には、コンデンシングユニット４７０および庫外ファン４８１を収納するための機械室４８０と、電装品および制御手段を収納するための電装品収納室４９０とが配置されている。
【００１４】
（冷媒循環回路）
図３において、自動販売機１０００が有する冷媒回路２０００は、冷媒を圧縮する圧縮機１と、圧縮機１によって圧縮された冷媒（高圧高温冷媒）が供給される外部熱交換器３（以下「ガスクーラ３」と称す）と、ガスクーラ３を通過した冷媒（高圧中温冷媒）が最初に供給される左庫４００Ｌに設置された、左庫絞り機構６Ｌと、左庫絞り機構６Ｌにおいて膨張した冷媒（低圧低温冷媒）が供給される左庫熱交換器７Ｌと、を有している。
このとき、左庫絞り機構６Ｌをバイパスするための左庫絞りバイパス電磁弁５Ｌを具備する左庫絞りバイパス配管５５Ｌと、左庫熱交換器７Ｌおよび左庫絞り機構６Ｌをバイパスするための左庫バイパス電磁弁４Ｌを具備する左庫バイパス配管４４Ｌと、が設置されている。
【００１５】
また、左庫４００Ｌの下流側に位置している中庫４００Ｃには、左庫４００Ｌと同様の構成である、中庫バイパス電磁弁４Ｃと、中庫絞りバイパス電磁弁５Ｃと、中庫絞り機構６Ｃと、中庫熱交換器７Ｃと、中庫絞りバイパス電磁弁５Ｃを具備する中庫絞りバイパス配管５５Ｃと、中庫熱交換器７Ｃおよび中庫絞り機構６Ｃをバイパスするための中庫バイパス電磁弁４Ｃを具備する中庫バイパス配管４４Ｃと、が設置されている。
また、中庫４００Ｃの下流側に位置している右庫４００Ｒには、左庫４００Ｌと同様の構成であり、右庫バイパス電磁弁４Ｒと、右庫絞りバイパス電磁弁５Ｒと、右庫絞り機構６Ｒと、右庫熱交換器７Ｒと、右庫絞りバイパス電磁弁５Ｒを具備する右庫絞りバイパス配管５５Ｒと、右庫熱交換器７Ｒおよび右庫絞り機構６Ｒをバイパスするための右庫バイパス電磁弁４Ｒを具備する右庫バイパス配管４４Ｒと、が設置されている。
【００１６】
さらに、中庫４００Ｃの下流側で、圧縮機１の上流側に戻り熱交換器９が設置されている。戻り熱交換器９はガスクーラ３に並設され、戻り熱交換器９を通過する低圧中温冷媒とガスクーラ３を通過する高圧高温冷媒との間で熱交換可能になっている。
このとき、右庫４００Ｒと戻り熱交換器９との間には戻り三方弁８が設置され、右庫４００Ｒから流出した低圧中温冷媒は、配管７８を経由して戻り三方弁８に流入し、戻り熱交換器９に連通する戻り流入配管８９か圧縮機１に連通する配管８１（戻り熱交換器９をバイパスする配管に相当する）かの何れか一方に流出する。なお、戻り熱交換器９と圧縮機１とは戻り流出配管９１によって連通している。
そして、中庫４００Ｃの下流側において、低圧中温冷媒の温度を測定するためのエバ温度センサ１０が設置されている（正確には、当該位置における配管７８の温度を測定している）。
【００１７】
さらに、圧縮機１とガスクーラ３との間には送り三方弁２が設置されている。送り三方弁２には、圧縮機１に連通する配管１２から高圧高温冷媒が流入し、ガスクーラ３に連通する配管２３かガスクーラ３をバイパスするガスクーラバイパス配管３３かの何れかに流出する。
【００１８】
（冷媒流れの切換制御）
図４の（ａ）において、冷凍サイクルが起動した直後は、制御手段２０は、戻り三方弁８は圧縮機１側に開き、低圧中温冷媒は圧縮機１に直接戻っている（Ｓ１）。
次に、右庫４００Ｒのエバ温度センサ１０が測定した温度（以下「エバ温度Ｔ１０」と称す）が、「０℃以下」であるか否か判断する（Ｓ２）。
そして、エバ温度が「０℃超え（０＜Ｔ１０）」の場合、戻り三方弁８は圧縮機１側に開き、低圧中温冷媒を圧縮機１に直接戻している（Ｓ３）。一方、エバ温度が「０℃以下（Ｔ１０≦０）」の場合、戻り三方弁８は戻り熱交換器９側に開き、低圧中温冷媒を戻り熱交換器９に流入させる（Ｓ４）。
そして、所定時間（例えば、１分）が経過したところで、前記Ｓ２に戻り（Ｓ４）、再度、エバ温度が０℃以下であるか否か判断する（Ｓ２）。
【００１９】
図４の（ａ）において、エバ温度Ｔ１０が「０℃以下（例えば、−５℃、状態Ｃにて示す）」の場合、そのままでは、液バックが発生するため、戻り熱交換器９に温熱を受け取り、状態Ｄにまで加熱される。そして、圧縮機１において圧縮され状態Ｅになる。
一方、エバ温度Ｔ１０が「０℃超え（例えば、＋５℃、状態Ａにて示す）」の場合、冷媒はエバ温度Ｔ１０のまま圧縮機１に戻って圧縮され、状態Ｂになる。このとき、仮に、低圧中温冷媒が戻り熱交換器９に流入して温熱を受け取り、状態ＡＡにまで加熱されたとすると、圧縮機１では圧縮されて、状態ＢＢになることになる。
【００２０】
一般に、エバ温度Ｔ１０が低い場合には、冷媒循環量が減って冷却特性が悪くなるため、エバ温度Ｔ１０は高い方が冷却特性が良いことになる。
しかしながら、エバ温度Ｔ１０が高い（例えば＋５℃）場合に、配管７８における低圧中温冷媒が気体（状態Ａ）となるので、仮に、これを戻り熱交換器９に流入させると、圧縮機１に戻る低圧中温冷媒の温度（以下「戻り冷媒温度」と称す場合がある）が、例えば「＋１５℃」にまで上昇し、比体積（密度の逆数）が大きくなる（状態ＡＡ）。
そうすると、圧縮機１の吐出量は、シリンダ内の「押しのけ容積」で決まるため、比体積が大きくなるほど、冷媒循環量が減って冷却特性が悪くなる。そのため、エバ温度Ｔ１０が０℃より高い場合には、戻り熱交換器９に流入させないで、圧縮機１に直接戻すように制御をすれば、戻り冷媒温度がエバ温度Ｔ１０と等しくなり、比体積が小さいままで、冷媒循環量が変わらないから、冷却特性が維持される。
【００２１】
（全室冷却運転モード）
図５は、全室冷却運転モード（ＣＣＣ運転モード）における冷媒の流れを説明するものであって、冷媒が流れる配管を実線で、冷媒が流れない配管を破線で、示している。
図５の（ａ）は、全室を冷却する必要がある（所定の温度にまで冷却されていない）場合であって、全室に低圧低温冷媒が供給されている。すなわち、圧縮機１によって圧縮された高圧高温冷媒は、ガスクーラ３を経由して高圧中温冷媒となり、左庫絞り機構６Ｌにおいて膨張して低圧低温冷媒となって、左庫熱交換器７Ｌに流入して左庫４００Ｌを冷却する。
【００２２】
さらに、左庫４００Ｌを冷却した後の低圧低温冷媒は中庫熱交換器７Ｃに流入して中庫４００Ｃを冷却する。さらに、中庫４００Ｃを冷却した後の低圧低温冷媒は右庫熱交換器７Ｒに流入して右庫４００Ｒを冷却する。
このとき、左庫４００Ｌでは、左庫絞りバイパス電磁弁５Ｌと左庫バイパス電磁弁４Ｌとが閉じている。また、中庫４００Ｃでは、中庫絞りバイパス電磁弁５Ｃが開き、中庫バイパス電磁弁４Ｃが閉じ、右庫４００Ｒでは、右庫絞りバイパス電磁弁５Ｒが開き、右庫バイパス電磁弁４Ｒが閉じている。
【００２３】
そして、右庫熱交換器７Ｒから流出した低圧中温冷媒は、戻り三方弁８において、戻り流入配管８９に振り分けられて戻り熱交換器９に流入し、その後、戻り流出配管９１に流入し、圧縮機１に戻っている。すなわち、前記のように、エバ温度Ｔ１０が０℃以下の場合である。
したがって、戻り熱交換器９において、高圧高温冷媒が保有する温熱の一部が低圧中温冷媒に受け渡されるから、低圧中温冷媒の温度が上昇し、液バックが防止される。このことは、低圧低温冷媒が保有する冷熱の一部が高圧高温冷媒に受け渡されることに同じであるから、高圧高温冷媒の温度が低下し、左庫絞り機構６Ｌの負担が低減し、冷凍サイクルの効率が向上する。
なお、エバ温度Ｔ１０が０℃超えの場合には、低圧中温冷媒は、戻り三方弁８において、配管８１に振り分けられて圧縮機１に直接戻る。このとき、液バックの心配はなく、比体積は小さいままで、冷媒循環量が変わらないから、冷却特性が維持される。
【００２４】
図５の（ｂ）は、左庫４００Ｌを冷却する必要がなく（所定の温度にまで冷却されている）、中庫４００Ｃおよび右庫４００Ｒを冷却する必要がある（所定の温度にまで冷却されていない）場合である。すなわち、高圧高温冷媒はガスクーラ３を通過して高圧中温冷媒になり、左庫絞り機構６Ｌおよび左庫熱交換器７Ｌをバイパスして（左庫絞りバイパス電磁弁５Ｌが閉じ、左庫バイパス電磁弁５Ｌが開いている）、中庫絞り機構６Ｃに流入している。そして、中庫絞り機構６Ｃにおいて膨張して低圧低温冷媒になった後、中庫熱交換器７Ｃおよび右庫熱交換器７Ｒに順次流入している。
【００２５】
そして、右庫熱交換器７Ｒから流出した低圧中温冷媒は、エバ温度Ｔ１０の高低に応じて、戻り三方弁８において、戻り熱交換器９または圧縮機１に振り分けられる。すなわち、図５の（ｂ）では、エバ温度Ｔ１０が０℃超えの場合を示しているから、低圧中温冷媒は、戻り三方弁８において、配管８１に振り分けられて圧縮機１に直接戻る。このとき、液バックの心配はなく、比体積は小さいままで、冷媒循環量が変わらないから、冷却特性が維持される。
なお、エバ温度Ｔ１０が０℃以下の場合では、戻り三方弁８において、戻り流入配管８９に振り分けられて戻り熱交換器９に流入した後、圧縮機１に戻るから、前記のように、戻り熱交換器９とガスクーラ３との間の熱交換によって液バックが防止され、中庫絞り機構６Ｃの負担が低減し、冷凍サイクルの効率が向上する。
【００２６】
以上のように、ＣＣＣ運転モードのとき、左庫熱交換器７Ｌ、中庫熱交換器７Ｃおよび右庫熱交換器７Ｒが順次直列に配置されているから、所定の温度にまで冷却されている商品収納庫４００については当該商品収納庫に配置された庫内熱交換器７はバイパスして冷媒を供給しない。
一方、所定の温度にまで冷却されていない商品収納庫のうち最も上流に配置されている商品収納庫における絞り機構に冷媒を流入させ、当該商品収納庫およびこれより下流側の商品収納庫に配置された庫内熱交換器に冷媒を供給するものである。
そして、何れの場合でも、配管７８に流入した低圧中温冷媒は、エバ温度Ｔ１０の高低に応じて、戻り三方弁８において、戻り熱交換器９または圧縮機１に振り分けられ、液バックが防止され、冷凍サイクルの効率が向上する。
【００２７】
（ヒートポンプ運転）
図６は、ヒートポンプ運転における冷媒の流れを説明するものであって、冷媒が流れる配管を実線で、冷媒が流れない配管を破線で、示している。
図６の（ａ）は、左庫４００Ｌを加熱、中庫４００Ｃおよび右庫４００Ｒを冷却する運転モード（以下「ＨＣＣ運転モード」と称す）である。すなわち、圧縮機１によって圧縮された高圧高温冷媒は、ガスクーラ３をバイパスして左庫４００Ｌに直接流入する。左庫４００Ｌでは、左庫絞り機構６Ｌをバイパスして（バイパス配管６６Ｌを通過して）左庫熱交換器７Ｌに流入し、左庫４００Ｌを加熱する。
その後、中庫４００Ｃでは、中庫絞り機構６Ｃに流入して低圧低温冷媒となり、中庫熱交換器７Ｃに流入して中庫４００Ｃを冷却する。
さらに、右庫４００Ｒに流入した低圧低温冷媒は、右庫絞り機構６Ｒをバイパスして（バイパス配管６６Ｒを通過して）右庫熱交換器７Ｒに流入し、右庫４００Ｒを冷却する。
【００２８】
そして、右庫熱交換器７Ｒから流出した低圧中温冷媒は、ＣＣＣ運転モードの場合と同様に（図４の（ｂ）参照）、エバ温度Ｔ１０の高低に応じて戻り三方弁８において、戻り流入配管８９または戻り流出配管９１に振り分けられ、液バックが防止され、冷凍サイクルの効率が向上する。図６の（ａ）は、エバ温度Ｔ１０が０℃以下の場合であるから、低圧中温冷媒は戻り熱交換器９に流入している。
【００２９】
図６の（ａ）は、左庫４００Ｌを加熱、中庫４００Ｃおよび右庫４００Ｒを冷却する運転モード（以下「ＨＣＣ運転モード」と称す）である。すなわち、圧縮機１によって圧縮された高圧高温冷媒は、ガスクーラ３をバイパスして左庫４００Ｌに直接流入する。左庫４００Ｌでは、左庫絞り機構６Ｌをバイパスして（バイパス配管６６Ｌを通過して）左庫熱交換器７Ｌに流入し、左庫４００Ｌを加熱する。
その後、中庫４００Ｃでは、中庫絞り機構６Ｃに流入して低圧低温冷媒になり、中庫熱交換器７Ｃに流入して中庫４００Ｃを冷却する。さらに、右庫４００Ｒに流入した低圧低温冷媒は、右庫絞り機構６Ｒをバイパス（バイパス配管６６Ｒを通過）して、右庫熱交換器７Ｒに流入し、右庫４００Ｒを冷却する。
【００３０】
そして、右庫熱交換器７Ｒから流出した低圧中温冷媒は、ＣＣＣ運転モードの場合と同様に（図４の（ｂ）参照）、エバ温度Ｔ１０の高低に応じて戻り三方弁８において、戻り流入配管８９または戻り流出配管９１に振り分けられ、液バックが防止され、冷凍サイクルの効率が向上する。図６の（ｂ）は、エバ温度Ｔ１０が０℃超えの場合であるから、低圧中温冷媒は圧縮機１に直接戻っている。
【００３１】
［その他の形態］
以上、冷媒回路図２０００では、左庫熱交換器７Ｌと、中庫熱交換器７Ｃと、右庫熱交換器７Ｒと（以下「庫内熱交換器７」と称す）が直列に配置されているが、本発明は、戻り三方弁８および戻り熱交換器９を具備する形態をこれに限定するものではなく、庫内熱交換器７がそれぞれ平行に配置された公知の冷媒回路でもよい。
このとき、庫内熱交換器７は蒸発器として機能し、共通の絞り機構から低圧低温冷媒が選択的に供給される。また、左庫４００Ｌおよび中庫４００Ｃには、高圧高温冷媒が供給される左庫凝縮器および中庫凝縮器が設置されている。
【００３２】
したがって、ＣＣＣ運転モードのとき、共通の絞り機構において膨張した低圧低温冷媒は、全ての庫内蒸発器に供給される。そして、庫内熱交換器７から流出した低圧中温冷媒は、エバ温度Ｔ１０に応じて戻り三方弁８によって振り分けられ、温度が低い場合には戻り熱交換器９に供給され、温度が高い場合は圧縮機１に直接戻ることになる。
また、ＨＣＣ運転モードのとき、高圧高温冷媒は左庫凝縮器に供給されて左庫４００Ｌを加熱し、共通の絞り機構に供給される。そして、膨張した低圧低温冷媒は、中庫熱交換器７Ｃおよび右庫熱交換器７Ｒに流入して、中庫４００Ｃおよび右庫４００Ｒを冷却する。そして、中庫熱交換器７Ｃおよび右庫熱交換器７Ｒから流出した低圧中温冷媒は、エバ温度Ｔ１０に応じて戻り三方弁８によって振り分けられ、温度が低い場合には戻り熱交換器９に供給され、温度が高い場合は圧縮機１に直接戻ることになる。
よって、公知の冷媒回路においても、戻り三方弁および戻り熱交換器を具備することによって、液バックの防止と冷凍サイクルの効率向上とを図ることが可能になる。
【産業上の利用可能性】
【００３３】
本発明によれば、液バックの防止と冷凍サイクルの効率向上とを図ることが可能になるため、各種冷媒回路を有する各種自動販売機として広く利用することができる。
【図面の簡単な説明】
【００３４】
【図１】本発明の実施の形態１に係る自動販売機を説明する正面視の断面図。
【図２】本発明の実施の形態１に係る自動販売機を説明する側面視の断面図。
【図３】図１に示す自動販売機に設置された冷媒回路を示す冷媒回路図。
【図４】図３に示す冷媒回路における冷媒流れを変更する制御フローチャート等。
【図５】図３に示す冷媒回路における全室冷却時の冷媒流れを示す冷媒回路図。
【図６】図３に示す冷媒回路における一室加熱時の冷媒流れを示す冷媒回路図。
【符号の説明】
【００３５】
１ 圧縮機
２ 戻り三方弁
３ ガスクーラ（外部熱交換器）
４ バイパス電磁弁
５ 絞りバイパス電磁弁
６ 絞り機構
７ 庫内熱交換器
８ 戻り三方弁
９ 戻り熱交換器
１０ エバ温度センサ
１２ 配管
２０ 制御手段
２３ 配管
３３ ガスクーラバイパス配管
４４ 商品収納庫バイパス配管
５５ 絞りバイパス配管
８９ 戻り流入配管
９１ 戻り流出配管
２００ キャビネット
３００ 断熱材
４００ 商品収納庫
４０３ 仕切り板
４０４ 商品補充用扉
４０５ 内扉
４０６ 前扉
４０７ 商品収納ラック
４０８ 商品誘導板
４０９ 商品取出し口
４１０ 庫内部品収納室
４２０ 循環ダクト
４３０ 室内ファン
４４０ 庫内熱交換器
４５０ 送風ダクト
４６０ 風胴
４７０ コンデンシングユニット
４８０ 機械室
４８１ 庫外ファン
４９０ 電装品収納室
５００ 庫内温度センサー
１０００ 自動販売機
２０００ 冷媒回路
【図１】
2010128945.tif 000003
【図２】
2010128945.tif 000004
【図３】
2010128945.tif 000005
【図４】
2010128945.tif 000006
【図５】
2010128945.tif 000007
【図６】
2010128945.tif 000008